(57)【要約】【課題】金属材料等の部材点数を少なくしてより軽量化を図れるようにする。【解決手段】横方向に互いに平行に２本の回転軸２を並べ、２本の回転軸２の両端部を夫々回転自在に支持する軸受けを、互いに相対向する位置に設けてある２つの端板４に振り分けて取付け、２本の回転軸２夫々に、複数枚の破砕刃５をスペーサー６を介して夫々の軸心方向に互いに所定間隔置きに取り付け、２本の回転軸２の互いに反対方向への回転に伴って、２本の回転軸２間に供給される携帯端末１を破砕刃５により破砕して、破砕物が下方に排出するように構成され、携帯端末１を上下姿勢にした状態で２本の回転軸２間に誘導する一対のガイド板７を設け、そのガイド板７を介して２つの端板４を一体連結してある。【選択図】図２
2011240252.tif 000002
【特許請求の範囲】
【請求項１】
横方向に互いに平行に２本の回転軸を並べ、
前記２本の回転軸の両端部を夫々回転自在に支持する軸受けを、互いに相対向する位置に設けてある２つの端板に振り分けて取付け、
前記２本の回転軸夫々に、複数枚の破砕刃をスペーサーを介して夫々の軸心方向に互いに所定間隔置きに取り付け、
前記２本の回転軸の互いに反対方向への回転に伴って、前記２本の回転軸間に供給される携帯端末を前記破砕刃により破砕して、破砕物が下方に排出するように構成され、
携帯端末を上下姿勢にした状態で前記２本の回転軸間に誘導する一対のガイド板を設け、
そのガイド板を介して前記２つの端板を一体連結してある
携帯端末の破砕機。
【請求項２】
前記ガイド板を前記２本の回転軸夫々の上方に配置し、
前記回転軸の軸心方向に取り付けた複数枚の破砕刃間に侵入する櫛刃を、前記一対のガイド板の下端部に設けてある請求項１に記載の携帯端末の破砕機。
【請求項３】
前記回転軸を駆動回転するモーターを設け、
前記２本の回転軸の下方に破砕物排出空間を設け、
前記２つの端板、前記２つの回転軸、前記一対のガイド板、前記破砕物排出空間、並びに、前記モーターを、共に覆う合成樹脂製のケーシングを設け、
前記破砕物排出空間を外方から目視可能な透明部を、前記ケーシングに形成してある請求項１又は２に記載の携帯端末の破砕機。
【請求項４】
前記破砕物排出空間の下部に、前記破砕刃による破砕物を受けるトレーを設け、
前記トレーを前記ケーシングの内外に出し入れ自在に装着してある請求項３に記載の携帯端末の破砕機。
【発明の詳細な説明】
【技術分野】
【０００１】
本発明は、携帯電話、ＰＨＳ、ＰＤＡなどの携帯端末を破砕する携帯端末の破砕機に関する。
【背景技術】
【０００２】
従来、近年、種々の新機能を搭載した携帯端末が次々と供給され、それに伴って、旧機種から新機種の携帯端末への買い替え需要が高まり、旧機種が廃棄されることが多くなっている。
そして、廃棄される旧機種の携帯端末は、個人情報の漏洩防止のため、及び、携帯端末から金、銀、銅、アルミニウムなどの金属やレアメタルなどの有価物を回収するために、破砕機に投入して破砕することが考えられている。
前記破砕機においては、４枚の側板を箱型に組付けて、それらの側板に囲まれた空間内に、横方向に互いに平行に２本の回転軸を並べ、前記２本の回転軸の両端部を夫々回転自在に支持する軸受けを、互いに相対向する位置に設けてある２つの側板に振り分けて取付け、２本の前記回転軸夫々に、複数枚の破砕刃をスペーサーを介して夫々の軸心方向に互いに所定間隔置きに取り付け、前記箱型に組み付けられた側板の上方に、ホッパーなどのガイド部材を設け、２本の回転軸の下方に破砕物の排出部を設けてあった（例えば、特許文献１参照）。
【先行技術文献】
【特許文献】
【０００３】
【特許文献１】特開２００４−２０２４５５号公報
【発明の概要】
【発明が解決しようとする課題】
【０００４】
上述した従来の破砕機では、２本の回転軸を囲む４枚の側板は、複数の破砕刃を取り付けた２本の回転軸を、軸受けを介して支持しなければならないために、強度の大きな鉄系の金属材料で構成され、その４枚の側板の他にホッパーなどのガイド部材を設けてあるために、部材点数が多く全体として大きな重量になり、携帯端末などの被破砕物を破砕するための小型軽量化を図る上で、困難になるという問題点がある。
【０００５】
従って、本発明の目的は、上記問題点を解消し、金属材料等の部材点数を少なくしてより軽量化を図れるようにするところにある。
【課題を解決するための手段】
【０００６】
本発明の第１の特徴構成は、横方向に互いに平行に２本の回転軸を並べ、前記２本の回転軸の両端部を夫々回転自在に支持する軸受けを、互いに相対向する位置に設けてある２つの端板に振り分けて取付け、２本の前記回転軸夫々に、複数枚の破砕刃をスペーサーを介して夫々の軸心方向に互いに所定間隔置きに取り付け、前記２本の回転軸の互いに反対方向への回転に伴って、前記２本の回転軸間に供給される携帯端末を前記破砕刃により破砕して、破砕物が下方に排出するように構成され、携帯端末を上下姿勢にした状態で前記２本の回転軸間に誘導する一対のガイド板を設け、そのガイド板を介して前記２つの端板を一体連結してあるところにある。
【０００７】
本発明の第１の特徴構成によれば、従来のように大きく開口したホッパーにより、２本の回転軸の上方から被破砕物を無造作に落下供給される破砕機の場合は、供給された携帯端末がいろんな姿勢で複数の破砕刃上に載り、２本の回転軸間に誘導されにくく、しかも弾性のある硬質の合成樹脂により大部分が形成された携帯端末は、一般的に破砕刃に引っ掛かりにくく破砕効率が上がりにくいものであるが、本発明の破砕機によれば、携帯端末を上下姿勢にした状態で前記２本の回転軸間に誘導する一対のガイド板により、上下姿勢の携帯端末は、その下端部から確実に２本の回転軸間に誘導され、投入姿勢が安定しているために、自重で下降しながら回転軸夫々の破砕刃に、下端部から順次上部にかけて咬み込みながら破砕されていく。
その上、ガイド板を介して前記２つの端板を一体連結してあるために、ガイド板と端板とにより、複数枚の破砕刃を取り付けた２本の回転軸を支持するフレームの役目を果たし、従来の破砕機のように、４枚の側板で２本の回転軸を支持しながら、ホッパーにより被破砕物を誘導する装置と比べて、部材点数少なく軽量化がより簡単になる。
従って、軽量化を可能にしながらより効率よく携帯端末を破砕できるようになった。
【０００８】
本発明の第２の特徴構成は、前記ガイド板を前記２本の回転軸夫々の上方に配置し、前記回転軸の軸心方向に取り付けた複数枚の破砕刃間に侵入する櫛刃を、前記一対のガイド板の下端部に設けてあるところにある。
【０００９】
本発明の第２の特徴構成によれば、本発明の第１の特徴構成による上述の作用効果を叶えることができるのに加えて、ガイド板の下端部に櫛刃を設けることにより、回転軸の軸心方向に所定間隔置きに取り付けた破砕刃間に、破砕物が引っ掛かったとしても、櫛刃により排除することができ、破砕刃による携帯端末の破砕を、連続的に進めることができる。
従って、効率を落とすことなく破砕作業を行うことができる。
【００１０】
本発明の第３の特徴構成は、前記回転軸を駆動回転するモーターを設け、前記２本の回転軸の下方に破砕物排出空間を設け、前記２つの端板、前記２つの回転軸、前記一対のガイド板、前記破砕物排出空間、並びに、前記モーターを、共に覆う合成樹脂製のケーシングを設け、前記破砕物排出空間を外方から目視可能な透明部を、前記ケーシングに形成してあるところにある。
【００１１】
本発明の第３の特徴構成によれば、合成樹脂製のケーシングにより、２つの端板、２つの回転軸、一対のガイド板、破砕物排出空間、並びに、モーターを、共に覆うことにより、全体として重量を上げずに破砕時に破砕物が飛散するのを防止でき、安全性を向上させられる。
しかも、破砕物排出空間を外方から目視可能な透明部を、ケーシングに形成してあることにより、携帯端末の破砕状況が目視観察でき、携帯端末に内在する情報の漏洩防止を見届けることができ、携帯端末の元所有者の安心感を確保できる。
【００１２】
本発明の第４の特徴構成は、前記破砕物排出空間の下部に、前記破砕刃による破砕物を受けるトレーを設け、前記トレーを前記ケーシングの内外に出し入れ自在に装着してあるところにある。
【００１３】
本発明の第４の特徴構成によれば、トレーに破砕物が受けられ、そのトレーをケーシングの外に取り出すことができることにより、破砕物からの有価物の回収をスムーズに行なうことができる。
【図面の簡単な説明】
【００１４】
【図１】本発明の全体斜視図である。
【図２】本発明の全体縦断正面図である。
【図３】一部横断平面図である。
【図４】縦断側面図である。
【図５】要部分解斜視図である。
【図６】別実施形態の要部縦断正面図である。
【図７】別実施形態の要部縦断正面図である。
【図８】別実施形態の要部縦断正面図である。
【図９】別実施形態の要部縦断正面図である。
【発明を実施するための形態】
【００１５】
以下に本発明の実施の形態を図面に基づいて説明する。
本発明の破砕機は、例えば、携帯電話、ＰＨＳ，やＰＤＦ等の携帯端末を、投入して破砕するものであり、携帯端末の個人情報の保護と内部に含まれる貴金属やレアメタル等の有価物回収のために用いられる。
【００１６】
図１〜図５に示すように、本発明の携帯端末１の破砕機は、横方向に互いに平行に２本の回転軸２を並べ、２本の回転軸２の両端部を夫々回転自在に支持する軸受け３を、互いに相対向する位置に設けてある鉄系の金属板から成る２つの端板４に振り分けて取付け、２本の回転軸２夫々に、複数枚の破砕刃５をスペーサー６を介して夫々の軸心Ｘ方向に互いに所定間隔置きに取り付け、２本の回転軸２の互いに反対方向への回転に伴って、２本の回転軸２間に供給される携帯端末１の一例としての携帯電話を、破砕刃５により破砕して、破砕物が下方に排出するように構成され、携帯電話１を上下姿勢にした状態で２本の回転軸２間に誘導する一対のガイド板７を、鉄系の金属板で形成して２本の回転軸２夫々の上方に上下方向に沿わせた姿勢で配設し、そのガイド板７を介して２つの端板４を、ボルト８で一体連結して、２つの端板４と一対のガイド板７とで、２本の回転軸２を支持する強固な支持フレーム９を構成してある。
尚、この支持フレーム９は、２つの端板４の下端部を、破砕機の底部を構成するベースプレート１０に固定してある（図４）。
【００１７】
前記回転軸２の軸心Ｘ方向に取り付けた複数枚の破砕刃５間に侵入する櫛刃１１を、一対のガイド板７の下端部に設けてある（図２、図４、図５）。
つまり、２本の回転軸２夫々に取り付けた破砕刃５同士の間に、入り込んで絡んだ携帯電話１の破砕物を、櫛刃１１によって掻き出されて除去され、破砕刃５同士による破砕が連続的に行われるように構成してある。
【００１８】
前記２本の回転軸２は、夫々に設けた歯車１２の相互の噛み合いにより、互いに逆回転するように連動連結してあり、一方の回転軸２に取り付けたスプロケット１３にチェーン１４で連動するモーター１５を設け、そのモーター１５の回転駆動力により２本の回転軸２が回転作動されるように構成してある（図３）。
尚、モーター１５は、ベースプレート１０に固定してあり、そのベースプレート１０により、支持フレーム９及びモーター１５が、装置として一体になっている。
【００１９】
前記２本の回転軸２の下方には、破砕物排出空間１６を設け、２つの端板４、２つの回転軸２、一対のガイド板７、破砕物排出空間１６、並びに、モーター１５を、共に覆う合成樹脂製のケーシング１７を設け、破砕物排出空間１６を外方から目視可能なアクリル樹脂で成形された透明部１８を、ケーシング１７に形成してある（図１、図２）。
つまり、ケーシング１７により、全体として重量を上げずに破砕時に破砕物が飛散するのを防止でき、安全性を向上させてある。また、破砕物排出空間１６を外方から目視可能な透明部１８を、ケーシング１７に形成してあることにより、携帯電話１の破砕状況が目視観察でき、携帯電話１に内在する情報の漏洩防止を見届けることができ、携帯電話１の元所有者の安心感を確保できる。
尚、前記透明部１８を通して回転軸２に取り付けられた複数の破砕刃５の状態も、観察できるようにしてある。
【００２０】
前記破砕物排出空間１６の下部には、破砕刃５による破砕物を受けるトレー２０を設け、トレー２０をケーシング１７の内外に出し入れ自在に装着してある。
図１、図３中のケーシング１７の上部には、モーター１５の電気操作部２１が設けられている。
また、図２、図４、図５の切欠き部２７は、ガイド板７の軽量化のために、くり貫いた孔である。
【００２１】
〔別実施形態〕
以下に他の実施の形態を説明する。
【００２２】
〈１〉  ２本の回転軸２の回転操作は、モーター１５による駆動以外に、回転軸２に連結した回転操作ハンドルを設けた手動式であってもよい。
〈２〉  ガイド板７の下端部に設けた櫛刃１１には、図６に示すように、回転軸２の正回転時に隣接する破砕刃５間に侵入して咬み込んだ破砕物を掻き出す第１掻き出し部２２と、携帯電話１の破砕操作時に、隣接する破砕刃５間に絡んだ破砕片を、取り出すべく逆回転操作する時に使用する第２掻き出し部２３を、互いに表裏反対側に設けてある。それらの第１掻き出し部２２と第２掻き出し部２３の夫々の面は、回転軸２を通る法線２４に沿って形成するか、もしくは、法線２４よりも外側を向くように形成して、破砕刃５間に絡んだ破砕片を掻き出し易くするのが望ましい。
〈３〉  一対のガイド板７には、図７に示すように、その上部に上側ほど互いに離間して携帯電話１の挿入をし易くする導入案内部２５を形成してあっても良い。
〈４〉  一対のガイド板７夫々の櫛刃１１は、図８に示すように、第１掻き出し部２２を回転軸２の軸心Ｘ高さよりも下方まで延設させて、掻き出した破砕片を下方に落下排除し易くしてあっても良い。
〈５〉  図９に示すように、前記ガイド板７の下端部に設けた櫛刃１１には、第２掻き出し部２３を形成すると共に、そのガイド板７とは別に、補助ガイド板２６を回転軸２の軸心Ｘ高さよりも下側に設け、その補助ガイド板２６の上端側に櫛刃１１を設け、その櫛刃１１に第１掻き出し部２２を形成してあってもよい。この構成により、正回転時に破砕刃５間に絡んだ破砕片は、補助ガイド板２６により早期に下方に落下排除され易くなると共に、ガイド板７と共に、２つの端板４を連結する支持フレーム９の一部を兼ねられるようになり、装置全体が強固になる。
【００２３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２４】
１      携帯端末
２      回転軸
３      軸受け
４      端板
５      破砕刃
６      スペーサー
７      ガイド板
１１    櫛刃
１５    モーター
１６    破砕物排出空間
１７    ケーシング
１８    透明部
２０    トレー
【図１】
2011240252.tif 000003
【図２】
2011240252.tif 000004
【図３】
2011240252.tif 000005
【図４】
2011240252.tif 000006
【図５】
2011240252.tif 000007
【図６】
2011240252.tif 000008
【図７】
2011240252.tif 000009
【図８】
2011240252.tif 000010
【図９】
2011240252.tif 000011